【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
プロセッサと、
当該プロセッサによるデータの読み書きが可能な記憶媒体と、
画像表示部と、
前記プロセッサによって実行されることにより、外部の測定装置から測定データを取得し、当該測定データを処理することが可能な、前記記憶媒体に記憶されたアプリケーションプログラムと、
当該アプリケーションプログラムがアクセスすることが可能なデータベースとを備え、
前記アプリケーションプログラムは、
前記測定装置との間で通信を行うための通信モジュールと、前記測定データの処理結果を前記画像表示部に表示するための表示モジュールとを有するプレゼンテーション層と、
前記通信モジュールにより前記測定装置から取得した測定データを処理するための処理モジュールを有するビジネスロジック層と、
前記処理モジュールの要求に応じて、前記データベースにアクセスするためのデータベースアクセスモジュールを有するデータアクセス層とによって構成されている測定装置用データ処理装置。
【請求項２】
前記処理モジュールは、測定装置の種類によって異なる機種別処理モジュールと、多種類の測定装置で共通する共通処理モジュールとを含む請求項１に記載の測定装置用データ処理装置。
【請求項３】
前記共通処理モジュールは、データの単位換算を行う単位換算モジュールを含む請求項２に記載の測定装置用データ処理装置。
【請求項４】
前記共通処理モジュールは、測定データの精度管理用グラフを表示するためのデータを作成する精度管理グラフ表示用データ作成モジュールを含む請求項２又は３に記載の測定装置用データ処理装置。
【請求項５】
前記機種別処理モジュールは、測定データに基づいて、測定結果をグラフ表示するためのデータを作成する測定結果グラフ表示用データ作成モジュールを含む請求項２乃至４のいずれかに記載の測定装置用データ処理装置。
【請求項６】
前記測定装置は、血液分析装置、尿分析装置、便分析装置、及び粒子分析装置のいずれかである請求項１乃至５のいずれかに記載の測定装置用データ処理装置。
【請求項７】
前記アプリケーションプログラムは、第１の測定装置との間で通信を行うための第１通信モジュールと、第２の測定装置との間で通信を行うための第２通信モジュールと、前記第１の測定装置の測定データの処理結果を前記画像表示部に表示するための第１表示モジュールと、前記第２の測定装置の測定データの処理結果を前記画像表示部に表示するための第２表示モジュールとを前記プレゼンテーション層に有する請求項１乃至６のいずれかに記載の測定装置用データ処理装置。
【請求項８】
前記アプリケーションプログラムは、前記第１通信モジュールにより前記第１の測定装置から取得した測定データを処理するための第１処理モジュールと、前記第２通信モジュールにより前記第２の測定装置から取得した測定データを処理するための第２処理モジュールとを前記ビジネスロジック層に有する請求項７に記載の測定装置用データ処理装置。
【請求項９】
プロセッサと、
当該プロセッサによるデータの読み書きが可能な記憶媒体と、
前記プロセッサによって実行されることにより、外部の測定装置から測定データを取得し、当該測定データを処理することが可能な、前記記憶媒体に記憶されたアプリケーションプログラムとを備え、
前記アプリケーションプログラムは、当該アプリケーションプログラムを構成するプログラムモジュールのうち、測定データを取得する対象の測定装置の種類によって異なる機種別モジュールが、多種類の測定装置で共通する共通モジュールとは別のダイナミックリンクライブラリに含まれている測定装置用データ処理装置。
【請求項１０】
前記アプリケーションプログラムがアクセスすることが可能なデータベースを更に備え、
前記機種別モジュールは、前記測定装置との間で通信を行うための通信モジュールと、前記測定データの処理結果を画像表示部に表示するための表示モジュールとを含み、
前記共通モジュールは、前記データベースにアクセスするためのデータベースアクセスモジュールを含む請求項９に記載の測定装置用データ処理装置。
【請求項１１】
前記機種別モジュールは、前記通信モジュールにより前記測定装置から取得した測定データを処理するためのモジュールであって、測定装置の種類によって異なる機種別処理モジュールを含み、
前記共通モジュールは、前記通信モジュールにより前記測定装置から取得した測定データを処理するためのモジュールであって、多種類の測定装置で共通する共通処理モジュールを含む請求項１０に記載の測定装置用データ処理装置。
【請求項１２】
前記共通処理モジュールは、データの単位換算を行う単位換算モジュールを含む請求項１１に記載の測定装置用データ処理装置。
【請求項１３】
前記共通処理モジュールは、測定データの精度管理用グラフを表示するためのデータを作成する精度管理グラフ表示用データ作成モジュールを含む請求項１１又は１２に記載の測定装置用データ処理装置。
【請求項１４】
前記機種別処理モジュールは、測定データに基づいて、測定結果をグラフ表示するためのデータを作成する測定結果グラフ表示用データ作成モジュールを含む請求項１１乃至１３のいずれかに記載の測定装置用データ処理装置。
【請求項１５】
前記アプリケーションプログラムは、
前記通信モジュールと、前記表示モジュールとを有するプレゼンテーション層と、
前記機種別処理モジュールと、前記共通処理モジュールとを有するビジネスロジック層と、
前記データベースアクセスモジュールを有するデータアクセス層とによって構成されている請求項１１乃至１４のいずれかに記載の測定装置用データ処理装置。
【請求項１６】
前記アプリケーションプログラムは、第１の測定装置との間で通信を行うための第１通信モジュールと、第２の測定装置との間で通信を行うための第２通信モジュールと、前記第１の測定装置の測定データの処理結果を前記画像表示部に表示するための第１表示モジュールと、前記第２の測定装置の測定データの処理結果を前記画像表示部に表示するための第２表示モジュールとを有する請求項１１乃至１５のいずれかに記載の測定装置用データ処理装置。
【請求項１７】
前記アプリケーションプログラムは、前記第１通信モジュールにより前記第１の測定装置から取得した測定データを処理するための第１機種別処理モジュールと、前記第２通信モジュールにより前記第２の測定装置から取得した測定データを処理するための第２機種別処理モジュールとを有する請求項１６に記載の測定装置用データ処理装置。
【請求項１８】
前記測定装置は、血液分析装置、尿分析装置、便分析装置、及び粒子分析装置のいずれかである請求項９乃至１７のいずれかに記載の測定装置用データ処理装置。
【請求項１９】
測定装置から出力される測定データを処理するために使用されるアプリケーションプログラムにおいて、
前記測定装置と接続されており、画像表示部と、データベースとを備えるコンピュータを、前記測定装置との間で通信を行うように機能させるための通信モジュールと、前記コンピュータを、前記測定データの処理結果を前記画像表示部に表示するように機能させるための表示モジュールとを有するプレゼンテーション層と、
前記コンピュータを、前記通信モジュールにより前記測定装置から取得した測定データを処理するように機能させるための処理モジュールを有するビジネスロジック層と、
前記コンピュータを、前記処理モジュールの要求に応じて、前記データベースにアクセスするように機能させるためのデータベースアクセスモジュールを有するデータアクセス層とによって構成されているアプリケーションプログラム。